(57)【特許請求の範囲】
【請求項１】
取付面に埋め込まれて使用され、照射方向が調整可能な照明器具であって、
光源を有する灯具と、前記灯具が旋回面に交差する方向へ回動可能に取付けられる旋回台と、設置箇所に取付けられて前記旋回台を前記旋回面に沿って旋回可能に保持する枠体と、を備え、
前記枠体と前記灯具との間に、指を挿入して前記旋回台の下面を操作可能な隙間が設けられ、
前記枠体は、内側に前記灯具を収容する円形の切欠きを有する旋回台支持板を備え、
前記旋回台は、その外周面に設けられている取付部スリットを有し、
前記旋回台支持板は、前記旋回台の外周面に設けられている前記取付部スリットに挿嵌されて前記旋回台を旋回可能に保持し、
前記取付部スリットの幅は前記旋回台支持板の板厚よりも若干大きく、前記取付部スリットの幅と前記板厚の差の分だけ前記旋回台が上下移動可能であり、前記旋回台は、前記旋回台支持板に支持されることで固定状態となり、前記隙間から挿入された指によって押し上げられた状態で水平方向に旋回可能な状態となることを特徴とする照明器具。
【発明の詳細な説明】
【技術分野】
【０００１】
本発明は、取付面に埋め込まれて使用され、照射方向が調整可能な照明器具に関するものである。
【背景技術】
【０００２】
従来より、取付面に埋め込まれて使用され、照射方向が調整可能な照明器具が提案されている（例えば特許文献１参照）。
図８に示すように、特許文献１に記載の照明器具１００は、例えば天井等に埋め込まれて使用されるものであり、筒型の本体１０１を有しており、この本体１０１の下端開口の内周縁には、支持枠１０２が本体１０１の内方に突出して取付けられている。また、本体１０１内部にはコーン１０３が収容されており、コーン１０３の下端周縁部が支持枠１０２の上に載置されて、水平方向へ回動自在となっている。コーン１０３の内部には、ランプ１０５及び反射板１０６を有する灯具１０４が収容されており、灯具１０４は、コーン１０３の対向する２点において回動自在に支持されている。
【０００３】
従って、コーン１０３を支持枠１０２に対して水平方向へ回動させるとともに、灯具１０４をコーン１０３内部で上下方向へ回動させることにより、照射方向が調整自在となっている。
【特許文献１】実開昭６３−１０１４１１号公報（第１図）
【発明の開示】
【発明が解決しようとする課題】
【０００４】
しかしながら、前述したような従来の照明器具１００においては、灯具１０４を水平面に沿って旋回させて照射方向を調整する際に、灯具１０４を把持して旋回させるため、鉛直方向へ誤って回動させるおそれがある。また、灯具１０４のサイズが小さい小口径器具においては、作業スペースが小さいため、取付面に沿った方向（水平方向）の調整が困難であるという問題があった。
【０００５】
本発明は、従来の問題を解決するためになされたもので、小型の灯具においても、灯具を取付面に沿った方向へ容易に旋回することができる照明器具を提供することを目的とする。
【課題を解決するための手段】
【０００６】
本発明の照明器具は、取付面に埋め込まれて使用され、照射方向が調整可能な照明器具であって、光源を有する灯具と、前記灯具が旋回面に交差する方向へ回動可能に取付けられる旋回台と、設置箇所に取付けられて前記旋回台を前記旋回面に沿って旋回可能に保持する枠体と、を備え、前記枠体と前記灯具との間に、指を挿入して前記旋回台の下面を操作可能な隙間が設けられ、前記枠体は、内側に前記灯具を収容する円形の切欠きを有する旋回台支持板を備え、前記旋回台は、その外周面に設けられている取付部スリットを有し、前記旋回台支持板は、前記旋回台の外周面に設けられている前記取付部スリットに挿嵌されて前記旋回台を旋回可能に保持し、前記取付部スリットの幅は前記旋回台支持板の板厚よりも若干大きく、前記取付部スリットの幅と前記板厚の差の分だけ前記旋回台が上下移動可能であり、前記旋回台は、前記旋回台支持板に支持されることで固定状態となり、前記隙間から挿入された指によって押し上げられた状態で水平方向に旋回可能な状態となる構成を有している。
【０００７】
この構成により、灯具を旋回させる際には、枠体と灯具との間に設けられている隙間から指を挿入し、旋回台の下面を指で押圧しながら旋回台を旋回させるので、小さな灯具においても、灯具を取付面に沿った方向へ容易に旋回することができる。また、このとき、旋回台を押圧しても、灯具を旋回面に交差する方向へ回動させることがないので、旋回面に沿った方向変換及び旋回面に交差する面に沿った方向変換を，独立して行うことができ、確実に方向の調整を行うことができることとなる。
この構成により、簡易な構成で灯具を旋回台に旋回可能に保持することができることとなる。
【発明の効果】
【００１０】
本発明は、灯具を旋回させる際には、枠体と灯具との間に設けられている隙間から指を挿入し、旋回台の下面を指で押圧しながら旋回台を旋回させるので、小さな灯具においても、灯具を取付面に沿った方向へ容易に旋回することができる。また、このとき、旋回台を押圧しても、灯具を旋回面に交差する方向へ回動させることがないので、旋回面に沿った方向変換及び旋回面に交差する面に沿った方向変換を，独立して行うことができ、確実に方向の調整を行うことができるという効果を有する照明器具を提供することができるものである。
【発明を実施するための最良の形態】
【００１１】
以下、本発明の実施の形態の照明器具について、図面を用いて説明する。
図１は本発明の第１の実施の形態にかかる照明器具の斜視図、図２は照明器具の側面図、図３は図２中III方向から見た底面図、図４は図２中IV部分の拡大図、図５（Ａ）は旋回台の斜視図、図５（Ｂ）は旋回台の側面図、図６（Ａ）は灯具の上下方向調整の作業状態を示す説明図、図６（Ｂ）は灯具の水平方向調整の作業状態を示す説明図である。
【００１２】
図１および図２に示すように、本発明の第１実施形態にかかる照明器具１０は、光源であるランプ１１を有する灯具１２と、灯具１２が旋回面（例えば、天井等の取付面）に交差する方向へ回動可能に取付けられる旋回台１３と、天井等の設置箇所に取付けられて旋回台１３を旋回面に沿って旋回可能に保持する枠体１４を備えている。そして、枠体１４と灯具１２との間に、指を挿入して旋回台１３の下面１３ａを操作可能な隙間１５を設けた構成を有している。
【００１３】
灯具１２は、角筒状部材からなるソケット台１８と、ソケット台１８の下側に取付けられるセード１９とを有している。ソケット台１８は、上部に天板１８ａを有しており、側面１８ｂには多数の放熱孔１８ｃが設けられている。ソケット台１８の内部には、天板１８ａにソケット１６が取付けられており、ランプ１１が交換可能に取付けられている。ランプ１１の下部には反射板１７が取付けられており、セード１９の内部に収容されていて、反射板１７の下端部はセード１９に取付けられている。
【００１４】
枠体１４は、例えば正方形をしており、取付面である例えば天井面２１に取付けられて、枠体下面１４ａが天井面２１から下方へ露出している。枠体１４の側壁１４ｂ外面には、複数個（ここでは、例えば２個）の取付バネ２２が取付けられており、天井の内部に照明器具１０を支持するようになっている。枠体１４の側壁１４ｂの内側には、全体正方形で、中央部に円形の開口を有する旋回台支持板２３が取付けられている。
【００１５】
枠体１４の内部には、側壁１４ｂの内面に接触して旋回台１３が取付けられている。図５に示すように、旋回台１３は、円筒形状をした本体１３ｂを有しており、本体１３ｂの下端には下面１３ａを有している。また、本体１３ｂの外周面の下端部には、全周にわたって取付部スリット１３ｃが設けられており、この取付部スリット１３ｃには枠体１４の側壁１４ｂに取り付けられている旋回台支持板２３が挿嵌されることになる。スリット１３ｃの幅は旋回台支持板２３の板厚よりも若干大き目となっており、取付部スリット１３ｃの内部において旋回台１３が上下移動可能となっている。
【００１６】
これにより、旋回台１３は枠体１４に対して取付面である天井面２１に沿って旋回可能となり、灯具１２は天井面に沿って旋回可能に保持されることになる。また、旋回台１３が旋回台支持板２３に支持された状態では移動しないが、旋回台１３を持ち上げた状態では、摩擦が作用しないため、容易に旋回することができる。
【００１７】
また、旋回台１３の本体１３ｂには取付部ブラケット１３ｄが設けられており、取付穴１３ｅにはセード１９が回動可能に取付けられる。これにより、灯具１２は、旋回台１３に対して旋回面に交差する方向である上下方向へ回動可能に支持されることになる。
【００１８】
次に、照明方向の調整作業について説明する。
図６（Ａ）は旋回面に交差する方向への調整作業、図６（Ｂ）は旋回面に沿った方向への調整作業を示している。
【００１９】
図６（Ａ）に示すように、照明方向を上下方向へ調整する場合には、旋回台１３の取付部ブラケット１３ｄをはさんで灯具１２の下面１９ａに指を当てて、一方を押上げ、他方を下げることにより、灯具１２を回動させる。
【００２０】
また、図６（Ｂ）に示すように、照明方向を水平方向へ調整する場合には、枠体１４と灯具１２との間に設けられている隙間１５から指を挿入して旋回台１３の下面１３ａを押上げ、旋回台１３を旋回させることにより、灯具１２を水平方向へ旋回させる。調整後、指を外すと、旋回台１３が旋回台支持板２３の上に載置されるので、摩擦力により固定されることになる。
【００２１】
以上、説明した照明器具１０によれば、枠体１４と灯具１２との間に設けられている隙間１５から指を挿入し、旋回台１３の下面１３ａを指で押圧しながら旋回台を旋回させるので、小さな灯具１２においても、灯具１２を取付面に沿った方向へ容易に旋回することができる。また、このとき、旋回台１３を押圧しても、灯具１２を旋回面に交差する方向へ回動させることがないので、旋回面に沿った方向変換及び旋回面に交差する面に沿った方向変換を，独立して行うことができ、確実に方向の調整を行うことができることとなる。
【００２２】
なお、本発明の照明器具は、前述した実施形態に限定されるものでなく、適宜な変形，改良等が可能である。
例えば、前述した実施形態においては、枠体１４が正方形の場合について説明したが、図７に示す照明器具１０Ｂのように、円形の枠体１４Ｂを用いることも可能である。この場合には、旋回台支持板２３Ｂは、全体円形となる。なお、前述した照明器具１０と共通する部位には同じ符号を付して、重複する説明は省略することとする。
【図面の簡単な説明】
【００２３】
【図１】本発明の第１の実施の形態にかかる照明器具の斜視図
【図２】照明器具の側面図
【図３】図２中III方向から見た底面図
【図４】図２中IV部分の拡大図
【図５】（Ａ）は旋回台の斜視図、（Ｂ）は旋回台の側面図
【図６】（Ａ）は灯具の上下方向調整の作業状態を示す説明図、（Ｂ）は灯具の水平方向調整の作業状態を示す説明図
【図７】本発明の第２の実施の形態にかかる照明器具の斜視図
【図８】従来の照明器具を示す断面図
【符号の説明】
【００２４】
１０  照明器具
１１  ランプ（光源）
１２  灯具
１３  旋回台
１３ａ  下面
１３ｃ  取付部スリット
１４  枠体
１５  隙間
２３  旋回台支持板
【図１】
0005360952.tif 000002
【図２】
0005360952.tif 000003
【図３】
0005360952.tif 000004
【図４】
0005360952.tif 000005
【図５】
0005360952.tif 000006
【図６】
0005360952.tif 000007
【図７】
0005360952.tif 000008
【図８】
0005360952.tif 000009